(57)【要約】 【課題】  迅速に取付・固定することができるヒンジ構造の提供。【解決手段】  本考案のヒンジ固定装置は、該ヒンジボディーを挿通し外スリーブに嵌入する内軸と、ヒンジボディーの外側に設けられるレバー部材とからなる。内軸は、夫々外スリーブの直孔部及び錐形孔部と係合する直棒部及び錐形棒部を有する。内軸が外スリーブを挿通しレバー部材と軸接する。レバー部材の軸接部にはカム部が形成される。外スリーブと内軸との嵌合部はヒンジボディーの家具への取付端に位置する。レバー部材の軸接部のカム部はこじ上げられる状態でヒンジボディーの外表面に当接する。外スリーブと内軸との嵌合部を家具の孔に挿入する後に、レバー部材を押し下げることが出来る。そして、カム部により内軸が引っ張られ、外スリーブが拡張し該孔に詰め込み、強固な固定が達成される。【選択図】  図１
0003103885.tif 000002
【実用新案登録請求の範囲】
【請求項１】
ヒンジカップと、外スリーブに嵌入し該ヒンジカップを挿通し該ヒンジカップの取付側に設けられる内軸と、前記ヒンジカップの外側に設けられるレバー部材とからなるヒンジ固定装置であって、
前記ヒンジカップは、その両側から延在しかつ夫々穴を有するフランジを有し、
前記内軸は、一端に設けられるものであってピンにより挿通され前記レバー部材と軸接するための第１ピン孔と、直棒部と、錐形棒部とを有し、
前記外スリーブは、その外表面に環設される歯と、その周壁に形成される複数のスリットと、直孔部及び錐形孔部が形成された中空内部とを有し、
前記レバー部材は、前記ピンと係合しその一端の偏心位置に設けられる第２ピン孔を有し、該偏心端にカム部が形成され、
前記外スリーブが前記内軸を嵌合し、前記内軸の前記第１ピン孔が設けられる一端が前記穴を挿通して前記フランジの外側にある前記レバー部材と軸接し、前記外スリーブと前記内軸との嵌合部が前記フランジの内側に位置することを特徴とするヒンジ固定装置。
【請求項２】
前記カム部は、丸形面取の面を有し、前記フランジに当接することにより前記レバー部材がこじ上げられる状態となることを特徴とする請求項１に記載のヒンジ固定装置。
【請求項３】
前記レバー部材が押圧レバーと該押圧レバーの下に形成される凹陥部を有し、該凹陥部に工具を入れて前記レバー部材を抉ることが可能となることを特徴とする請求項１に記載のヒンジ固定装置。
【請求項４】
前記レバー部材の第２ピン孔はスロットであり、前記レバー部材が回転係合された後に該スロットを所定の距離で移動することにより、前記レバー部材が逆方向において抉られることを阻止する作用を強めることを特徴とする請求項１に記載のヒンジ固定装置。
【請求項５】
前記外スリーブは、その外表面に形成され方向が異なる少なくとも二種の歯を有することを特徴とする請求項１に記載のヒンジ固定装置。
【請求項６】
カートリッジ式固定台と、外スリーブに嵌入し該カートリッジ式固定台を挿通し該カートリッジ式固定台の取付側に設けられる内軸と、前記カートリッジ式固定台の外側に設けられるレバー部材とからなるヒンジ固定装置であって、
前記カートリッジ式固定台は、その両側から延在しかつ夫々穴を有するフランジを有し、
前記内軸は、一端に設けられるものであってピンにより挿通され前記レバー部材と軸接するための第１ピン孔と、直棒部と、錐形棒部とを有し、
前記外スリーブは、その外表面に環設される歯と、その周壁に形成される複数のスリットと、直孔部及び錐形孔部が形成された中空内部とを有し、
前記レバー部材が前記ピンと係合しその一端の偏心位置に設けられる第２ピン孔を有し、該偏心端にカム部が形成され、
前記外スリーブが前記内軸を嵌合し、前記内軸の前記第１ピン孔が設けられる一端が前記穴を挿通して前記フランジの外側にある前記レバー部材と軸接し、前記外スリーブと前記内軸との嵌合部が前記フランジの内側に位置することを特徴とするヒンジ固定装置。
【請求項７】
前記カム部は、丸形面取の面を有し、前記フランジに当接することにより前記レバー部材がこじ上げられる状態となることを特徴とする請求項６に記載のヒンジ固定装置。
【請求項８】
前記レバー部材が押圧レバーと該押圧レバーの下に形成される凹陥部を有し、該凹陥部に工具を入れて前記レバー部材を抉ることが可能となることを特徴とする請求項６に記載のヒンジ固定装置。
【請求項９】
前記レバー部材の第２ピン孔はスロットであり、前記レバー部材が回転係合された後に該スロットを所定の距離で移動することにより、前記レバー部材が逆方向において抉られることを阻止する作用を強めることを特徴とする請求項６に記載のヒンジ固定装置。
【請求項１０】
前記外スリーブは、その外表面に形成され方向が異なる少なくとも二種の歯を有することを特徴とする請求項６に記載のヒンジ固定装置。
【考案の詳細な説明】
【技術分野】
【０００１】
本考案はヒンジ固定装置に関わり、特に迅速にヒンジを家具に取付・固定する装置に関する。
【背景技術】
【０００２】
従来、ヒンジは広くキャビネットや家具に利用されている。例えば、枢軸端に設けられ扉フレームに埋設されるヒンジカップと該ヒンジカップの両側から延在する貫通孔付きの固定フランジとからなるヒンジ構造が開示されている。該固定フランジの内側に扉フレームの貫通孔と連結するためのプラスチック製の中空筒状ラッチカプラーがある。該中空筒状ラッチカプラーは、夫々両側に設けられる孔付きの両部材のセットを有するか、又は、プレートを介して接続される。該筒状ラッチカプラーは拡張用スリットと、扉フレームの固定孔としっかり係合するためのものであって外部に環設する歯とを有する。組立の際、ネジが固定フランジの貫通孔を挿通し筒状ラッチカプラーと螺接すると、筒状ラッチカプラーが拡大され、環設する歯が扉フレームの固定孔としっかり係合するようになる（特許文献１参照）。
【０００３】
また、これと同様な構造のものとして、ハウジング両側の止め歯とエジェクト機構を有するものも開示されている。該エジェクト機構がハウジング上方の蓋プレートにより駆動されるため、該蓋プレートがハウジングをカバーすると、止め歯が該エジェクト機構により押えられて、扉フレームに設けられた孔の中にしっかり押し込められ、固定される（特許文献２参照）。
【０００４】
更に、別の文献には、固定フランジの貫通孔に偏心ラッチ棒のあるヒンジが開示されている。ここで、貫通孔がプラスチック製スリーブと係合し、偏心ラッチ棒が該スリーブ内に挿入される。また、偏心ラッチ棒は、その内側に偏心突出した回転歯があり、その外側が回転ハンドルと係合する。また、偏心ラッチ棒が扉フレームの固定孔に挿入される。回転ハンドルを回転させると、偏心ラッチ棒の内側にある偏心突出した回転歯が回転し、固定孔としっかり係合する（特許文献３参照）。
【０００５】
前記のように、従来のヒンジ構造は固定のためにネジやラッチ部材、歯部材及び偏心歯を用いる。このうち、ネジを用いる固定は、時間が掛かるし、自動組立に合わない。また、ヒンジカップの蓋プレートを用いてエジェクト機構を駆動することにより止め歯を移動固定する構成は、構造が複雑、製造コストが高い。
【０００６】
また、偏心ラッチ棒及び偏心回転歯を用いる場合は、回転作業方向とヒンジカップの取付方向とが異なるため、自動製造・組立の工程において２段階の作業を必要とする。よって、作業時間が長くなる。大量生産の場合、キャビネットや家具のメーカが家具組立の速さ及び便利さを図るために自動作業を用いるのは一般的である。しかし、前記した従来のヒンジ構造は自動製造工程に合わない。
【特許文献１】US5,561,888
【特許文献２】US5,463,793
【特許文献３】US5,577,297
【考案の開示】
【考案が解決しようとする課題】
【０００７】
前記の問題点に鑑み、本考案が解決しようとする課題は、迅速に取付・固定することができるヒンジ構造を提供することにある。
【課題を解決するための手段】
【０００８】
上記の課題を達成するために、本考案は、ヒンジボディーと、該ヒンジボディーを挿通し外スリーブに嵌入する内軸と、前記ヒンジボディーの外側に設けられるレバー部材とからなる。前記外スリーブと前記内軸との嵌合部には、対応し合う直孔部と直棒部、及び対応し合う錐形孔部と錐形棒部がある。前記内軸の一端が前記外スリーブを挿通し前記レバー部材と軸接する。前記レバー部材の軸接端は軸ピンから偏心しカム部を形成する。前記外スリーブと前記内軸との嵌合部は、ヒンジボディーの家具への取付端に位置する。
【０００９】
更に具体的には、本考案は、以下の各考案により達成される。
【００１０】
即ち、（１）ヒンジカップと、外スリーブに嵌入し該ヒンジカップを挿通し該ヒンジカップの取付側に設けられる内軸と、前記ヒンジカップの外側に設けられるレバー部材とからなるヒンジ固定装置であって、
前記ヒンジカップは、その両側から延在しかつ夫々穴を有するフランジを有し、
前記内軸は、一端に設けられるものであってピンにより挿通され前記レバー部材と軸接するための第１ピン孔と、直棒部と、錐形棒部とを有し、
前記外スリーブは、その外表面に環設される歯と、その周壁に形成される複数のスリットと、直孔部及び錐形孔部が形成された中空内部とを有し、
前記レバー部材は、前記ピンと係合しその一端の偏心位置に設けられる第２ピン孔を有し、該偏心端にカム部が形成され、
前記外スリーブが前記内軸を嵌合し、前記内軸の前記第１ピン孔が設けられる一端が前記穴を挿通して前記フランジの外側にある前記レバー部材と軸接し、前記外スリーブと前記内軸との嵌合部が前記フランジの内側に位置することを特徴とするヒンジ固定装置。
【００１１】
（２）前記カム部は、丸形面取の面を有し、前記フランジに当接することにより前記レバー部材がこじ上げられる状態となることを特徴とする前記第１項に記載のヒンジ固定装置。
【００１２】
（３）前記レバー部材が押圧レバーと該押圧レバーの下に形成される凹陥部を有し、該凹陥部に工具を入れて前記レバー部材を抉ることが可能となることを特徴とする請求項１に記載のヒンジ固定装置。
【００１３】
（４）前記レバー部材の第２ピン孔はスロットであり、前記レバー部材が回転係合された後に該スロットを所定の距離で移動することにより、前記レバー部材が逆方向において抉られることを阻止する作用を強めることを特徴とする前記第１項に記載のヒンジ固定装置。
【００１４】
（５）前記外スリーブは、その外表面に形成され方向が異なる少なくとも二種の歯を有することを特徴とする前記第１項に記載のヒンジ固定装置。
【００１５】
（６）カートリッジ式固定台と、外スリーブに嵌入し該カートリッジ式固定台を挿通し該カートリッジ式固定台の取付側に設けられる内軸と、前記カートリッジ式固定台の外側に設けられるレバー部材とからなるヒンジ固定装置であって、
前記カートリッジ式固定台は、その両側から延在しかつ夫々穴を有するフランジを有し、
前記内軸は、一端に設けられるものであってピンにより挿通され前記レバー部材と軸接するための第１ピン孔と、直棒部と、錐形棒部とを有し、
前記外スリーブは、その外表面に環設される歯と、その周壁に形成される複数のスリットと、直孔部及び錐形孔部が形成された中空内部とを有し、
前記レバー部材が前記ピンと係合しその一端の偏心位置に設けられる第２ピン孔を有し、該偏心端にカム部が形成され、
前記外スリーブが前記内軸を嵌合し、前記内軸の前記第１ピン孔が設けられる一端が前記穴を挿通して前記フランジの外側にある前記レバー部材と軸接し、前記外スリーブと前記内軸との嵌合部が前記フランジの内側に位置することを特徴とするヒンジ固定装置。
【００１６】
（７）前記カム部は、丸形面取の面を有し、前記フランジに当接することにより前記レバー部材がこじ上げられる状態となることを特徴とする前記第６項に記載のヒンジ固定装置。
【００１７】
（８）前記レバー部材が押圧レバーと該押圧レバーの下に形成される凹陥部を有し、該凹陥部に工具を入れて前記レバー部材を抉ることが可能となることを特徴とする前記第６項に記載のヒンジ固定装置。
【００１８】
（９）前記レバー部材の第２ピン孔はスロットであり、前記レバー部材が回転係合された後に該スロットを所定の距離で移動することにより、前記レバー部材が逆方向において抉られることを阻止する作用を強めることを特徴とする前記第６項に記載のヒンジ固定装置。
【００１９】
（１０）前記外スリーブは、その外表面に形成され方向が異なる少なくとも二種の歯を有することを特徴とする前記第６項に記載のヒンジ固定装置。
【考案の効果】
【００２０】
前記の通り、本考案の構成によれば、前記レバー部材のカム部はこじ上げられる状態でヒンジの外表面に当接する。そして、前記外スリーブと前記内軸との嵌合部を家具の孔に挿入した後に、係止・係合のために前記レバー部材を押し下げる。そして、カム部により内軸が引っ張られ、外スリーブが拡張し該孔に詰め込み、強固な固定が達成される。
【００２１】
なお、本考案の他の課題、特徴及び利点は、下記のように、図面に基づく詳細な説明から一層明瞭に示される。
【考案を実施するための最良の形態】
【００２２】
図１は本考案に係るヒンジカップAと組み合わせるヒンジ固定装置を示す展開図である。
【００２３】
ヒンジカップAは、夫々その両側から延在する両フランジA1と、その両側であって前記フランジA1にある穴A2とを有する。
【００２４】
フランジA1毎に、本考案装置は、少なくとも、内軸１と外スリーブ２及びレバー部材３を有する。内軸１は、一端に設けられるものであってピン４により挿通されレバー部材３と軸接するための第１ピン孔１１と、直棒部１２と、錐形棒部１３とからなる。外スリーブ２は、その外表面に環状又は螺旋状に設けられる歯２１と、周壁に形成される複数の縦スリット２２とを有する。また、外スリーブ２の中空内部において、夫々内軸１の直棒部１２及び錐形棒部１３を嵌合する直孔部２３及び錐状孔部２４が形成される。レバー部材３は、ピン４により挿通され内軸１と軸接するための第２ピン孔３１を有する。枢軸端において、レバー部材３にピン４による偏心位置が形成され、そして、カム部３２が形成される。カム部３２は丸形面取の面３２１を形成する端部を有する。また、レバー部材３は押圧レバー及びその下にある凹陥部３３を有する。このため、工具を入れてレバー部材３を抉ることができる。
【００２５】
組立の際、内軸１の第１ピン孔１１が形成される一方の端部がフランジA1の穴A2を挿通すると共に内軸１の外側端部がフランジA1の外側にあるレバー部材３と軸接し、内軸１と外スリーブ２の連結部がフランジA1の内側に設けられ、カム部３２の丸形面取の面３２１がフランジA1の表面と当接し、レバー部材３がこじ上げられる。
【００２６】
前記ヒンジカップAを家具に固定する場合、図２に示すように、外スリーブ２及び内軸１を、家具に予め設ける孔Bに挿入する。図３に示すように、ヒンジカップAの取付方向と同じ方向においてレバー部材３を押し下げると、レバー部材３が回転しカム部３２がフランジAの外表面に圧着する。内軸１が外側へ引っ張られ、外スリーブ２の錐形孔部２４が錐形棒部１３により押えて拡張する。結果は、外スリーブ２の歯２１が孔Bの内壁に嵌入し、強固な固定が達成される。従って、ヒンジは、迅速かつ容易に希望の位置に固定することができる。また、単一の方向における作業が出来る。
【００２７】
また、誤作動によりレバー部材３が抉られることを防止するために、図４に示すように、防止手段を設けて良い。ここで、レバー部材３の第２ピン孔３１の代わりにスロット３４を設ける。図５に示すように、レバー部材３がフランジA1の外側に圧着した後に、スロットの方向においてレバー部材３をピン４と内軸１の隙間に沿って移動させる。これにより、レバー部材３が逆抉られることを阻止する作用が強くなり、レバー部材３が直接に抉られることがなくなる。
【００２８】
図６は本考案の他の実施例を示す図である。ここで、固定力を向上させるために、外スリーブ２の外表面に環設される歯２１の代わりに、夫々両方向に沿って形成される歯２１，２１’を設ける。これにより、これらの歯２１，２１’が複数の方向において家具の孔の内壁と係合し、外スリーブ２の回転及び脱出が防止され、固定力が向上する。
【００２９】
図７は本考案の他の実施例を示す図である。ヒンジはカートリッジ式固定台Cを有する。レバー部材３は前記実施例と略同様である。ここで、前記実施例と同様な機能を有する要素は、同一符号を用いるものの、意匠効果を講じるために外観が変わることがある。両外スリーブ２は、プレート２５を介して一体に連結し合うため、カートリッジ式固定台Cの両側にあるフランジC1の内面に固定することが容易に出来る。
【図面の簡単な説明】
【００３０】
【図１】本考案の実施例に係るヒンジカップを示す展開斜視図である。
【図２】本考案の実施例に係る最初の組立状態におけるヒンジカップを示す側面図である。
【図３】本考案に係る固定後の組立状態におけるヒンジカップを示す側面図である。
【図４】本考案に係るレバー部材移動前のヒンジカップを示す側面図である。
【図５】本考案に係るレバー部材移動後のヒンジカップを示す側面図である。
【図６】本考案の他の実施例に係る外スリーブを示す展開斜視図である。
【図７】本考案の他の実施例に係るカートリッジ固定台を示す展開斜視図である。
【符号の説明】
【００３１】
１  内軸
２  外スリーブ
３  レバー部材
４  ピン
１１  第１ピン孔
１２  直棒部
１３  錐形棒部
【図１】
0003103885.tif 000003
【図２】
0003103885.tif 000004
【図３】
0003103885.tif 000005
【図４】
0003103885.tif 000006
【図５】
0003103885.tif 000007
【図６】
0003103885.tif 000008
【図７】
0003103885.tif 000009